(57)【特許請求の範囲】
【請求項１】
容器本体にフック解除レバーを取付け、そのフック解除レバーにより操作されるフック部材を蓋に揺動自在に取付け、該フック部材に容器本体との係合部と解除レバーに対向した操作部とを支点軸の両側に設け、上記係合部を容器本体に対して係合する方向に付勢する付勢ばねを設け、上記フック解除レバーの操作により上記フック部材の操作部を内方に押し込んで上記係合部と容器本体との係合を解除するようにした蓋付き容器のフック装置において、上記フック部材の操作部の先端部を蓋前壁の穴からその穴と同一面内に露出せしめ、上記フック解除レバーの先端部を該穴前面に臨ませたことを特徴とする蓋付き容器のフック装置。
【請求項２】
上記操作部の先端部を上記穴と同一面になるよう屈曲したことを特徴とする請求項１に記載の蓋付き容器のフック装置。
【請求項３】
上記フック解除レバーに、操作時上記穴内に進入して上記操作部を押し込む爪片を設けたことを特徴とする請求項１又は２に記載の蓋付き容器のフック装置。
【発明の詳細な説明】
【０００１】
【発明の属する技術分野】
この発明は、炊飯ジャーなどの蓋付き容器のフック装置に関するものである。
【０００２】
【従来の技術】
炊飯ジャーのジャー本体に開閉自在に取付けた蓋をジャー本体に係合するためのフック装置を設けることが従来から行われている。一般にフック装置は、蓋に設けたフック部材と、そのフック部材のジャー本体に対する係合を解除するためのフック解除レバーからなる。フック解除レバーは、蓋側に設けられる場合と、ジャー本体側に設けられる場合がある。
【０００３】
図６は、従来の炊飯ジャーの一例であり、ジャー本体１前面上部にフック解除レバー２を支点軸３により取付けるとともに、フック部材４を蓋５に取付けている。フック部材４はその支点軸６を中心にして、蓋５の前壁の穴７から前方に突き出す操作部８と、下方に突き出してジャー本体１に係合される係合部９、及び蓋後方に突き出したばね受け部１１とからなる。操作部８の先端部は上記のフック解除レバー２の爪片１２上に対向する。また、支点軸６に巻き付けたフックばね１３の一端部をばね受け部１１の下面に押し当て、係合部９をジャー本体１の係合凹部１４に対する係合が深くなる方向に付勢する。
【０００４】
使用者が上記のフック解除レバー２を矢印Ａのように押し込むと、爪片１２が操作部８を蹴り上げ、フック部材４をその支点軸６を中心に回動させ、係合部９の係合凹部１４に対する係合を解除させる。その結果、蓋５はヒンジ部のばね（図示省略）の作用により開放される。
【０００５】
【発明が解決しようとする課題】
上記のように、フック解除レバー２をジャー本体１の前面上部に設け、これを操作して蓋５側のフック部材４の係合を解除するようにしたフック装置は、比較的構造が簡単である利点があるが、蓋５の前面壁の穴７から操作部８が前方に突き出すため、蓋５の前面部の外観を損ね、また手入れの際に引っ掛かるなどの不便があった。
【０００６】
そこで、この発明は操作部８に突き出しを無くしてこのような問題を解消することを課題とする。
【０００７】
【課題を解決するための手段】
上記の課題を解決するために、この発明は、容器本体にフック解除レバーを取付け、そのフック解除レバーにより操作されるフック部材を蓋に揺動自在に取付け、該フック部材に容器本体との係合部と解除レバーに対向した操作部とを支点軸の両側に設け、その係合部を容器本体に対して係合する方向に付勢する付勢ばねを設け、上記フック解除レバーの操作により上記フック部材の操作部を内方に押し込んで容器本体との係合を解除するようにした蓋付き容器のフック装置において、上記フック部材の操作部の先端部を蓋前壁の穴からその穴と同一面内に露出せしめ、上記フック解除レバーの先端部を該穴前面に臨ませた構成を採用したものである。
【０００８】
上記の構成によると、フック部材の操作部は、蓋前壁から前方に突き出すことがない。また、通常状態においては、蓋前壁に設けた穴が操作部により閉塞され、外観をすっきりさせる。
【０００９】
なお、上記操作部の先端部を上記穴と同一面になるよう屈曲した構成や、上記のフック解除レバーに、操作時上記穴内に進入して上記操作部を押し込む爪片を設けた構成を採用することができる。
【００１０】
【発明の実施形態】
以下、添付図面に基づいてこの発明の実施形態を説明する。図１及び図２に示すように、実施形態のフック装置は、炊飯ジャーの場合を示している。この場合も図６に示した従来の場合と同様に、ジャー本体１前面上部にフック解除レバー２を支点軸３により取付けるとともに、フック部材４を蓋５に取付けている。フック部材４は、図２に示すように、支点軸６が貫通する支点部１５を中心にして、その上側に左右一対の操作部８、８と、下側に左右一対の係合部９、９及び蓋後方に突き出したばね受け部１１を設けてなる。
【００１１】
図３に示すように、上記の支点部１５の両端部に軸受部１６、１６が設けられる。上記の支点軸６は各軸受部１６に貫通され、その支点軸６の両端部が蓋５の補強部材１７に支持される。また、上記の各操作部８は、支点部１５から斜め前方に突き出し、その先端部１８がフック部材４の通常の姿勢で上下方向を向くように屈曲され、蓋５の前壁の穴７内部にその穴７と同一面になるよう嵌入される。穴７に嵌入された先端部１８は、フック解除レバー２の爪片１２、１２の斜め上部後方に対向する。また、各係合部９の下端左右に内向きの係合爪１９、１９がジャー本体１側の係合凹部１４に係合される。
【００１２】
上記の支点軸６の中間部にフックばね１３が装着され、そのフックばね１３の一端部がばね受け部１１の下面に押し当てられる。これにより、係合爪１９をジャー本体１の係合凹部１４に対しその係合が深くなるように付勢される。
【００１３】
前記の蓋５の表面には、図１に示すように、操作パネル２２が設けられ、各種のスイッチ操作部２３及び液晶表示部２４等が設けられる。操作パネル２２は透明であり、所要の表示を印刷したシート２５（図４（ａ）参照）をその裏面からインサート成形している。スイッチ操作部２３はエンボス加工される。
【００１４】
操作パネル２２の内側に表示用基板２６が設けられ、その表示用基板２６はビス２７により基板カバー２８に固定される。基板カバー２８はビス２９により蓋５の内面に固定される。表示用基板２６上には、それぞれ上記の液晶表示部２４に対応した液晶３１、スイッチ操作部２３に対応したスイッチ３２等が設けられる。スイッチ操作部２３を形成するためのエンボス加工の際に、その周辺部のシート２５にシワが生じることを防止するため、内面にテーパ面３３を形成している。
【００１５】
また、前記のフック解除レバー２（図２参照）の下方において、ジャー本体１の内部に、基板ホルダー３４がビス３５（図４（ｂ）参照）により固定される。基板ホルダー３４は、図４（ｂ）に示すように、前後両壁面と左右のわん曲壁面とにより囲まれた枠状の部材であり、空冷用のファン３６の上部に設置される。この基板ホルダー３４の後部壁面の上部に一対の基板係止爪３７、３７が設けられ、またその下端に基板嵌合溝３８が設けられる。ＩＨ用の基板３９には放熱フィン４１が取付けられ、その基板３９の下端を上記の基板嵌合溝３８に嵌合するとともに、その上端に基板係止爪３７、３７を弾性的に係合させることにより取付ける。基板ホルダー３４は、枠状に形成されるため十分な強度があり、また、基板３９の全周を囲むため絶縁距離を十分確保することができる。
【００１６】
その他、図２において、４２は内鍋、４３は外鍋、４４はハンドル、４５は蓋５のヒンジ軸である。
【００１７】
実施形態のフック装置は以上のようなものであり、図２に示すように、蓋５を閉じた状態では、フック部材４の係合部９がジャー本体１の係合凹部１４に係合した状態にある。このとき、フック部材４の先端部１８は蓋５の前壁の穴７内に嵌入されその穴７と同一平面内においてこれを閉塞する。
【００１８】
蓋５を開ける際は、使用者が図５の矢印Ａで示すようにフック解除レバー２を押下げることにより、爪片１２を穴７内に進入させ（図５参照）、フック部材４の先端部１８を蹴り上げ、フック部材４を一定角度回転させる。これによりフック部材４の係合部９の係合爪１９がジャー本体１の係合凹部１４から脱出し係合が解除される。係合の解除により蓋５が開放される。
【００１９】
上記のフック解除レバー２は、係合の解除後に手を離すと、復帰ばね２１により元の状態に戻る。
【００２０】
蓋５が開放されフック解除レバー２がフック部材４から離れると、フック部材４はフックばね１３のばね力により元の状態に戻り、その操作部８の先端部１８が穴７をこれと同一面内において閉塞する。
【００２１】
【発明の効果】
以上のように、この発明によれば、蓋の開放状態において、フック部材の先端部が蓋前壁の穴内に嵌入し、その穴と同一面内において該穴を閉塞する。このために、蓋前壁の前面に突き出すものがないので、手入れが容易にできる便利さがある。また、蓋前壁の前面に突き出すものがないことと併せ、その穴がフック部材の先端部により同一面内で閉塞されるので、外観上もすっきりしたものとなる。
【図面の簡単な説明】
【図１】第１実施形態の斜視図
【図２】同上の断面図
【図３】同上の一部分解斜視図
【図４】（ａ）同上の蓋部分の一部断面図
（ｂ）同上のジャー本体部分の断面図
【図５】同上のフック解除状態の断面図
【図６】従来例の一部断面図
【符号の説明】
１  ジャー本体
２  フック解除レバー
３  支点軸
４  フック部材
５  蓋
６  支点軸
７  穴
８  操作部
９  係合部
１１  ばね受け部
１２  爪片
１３  フックばね
１４  係合凹部
１５  支点部
１６  軸受部
１７  補強部材
１８  先端部
１９  係合爪
２１  復帰ばね
２２  操作パネル
２３  スイッチ操作部
２４  液晶表示部
２５  シート
２６  表示用基板
２７  ビス
２８  基板カバー
２９  ビス
３１  液晶
３２  スイッチ
３３  テーパ面
３４  基板ホルダー
３５  ビス
３６  ファン
３７  基板係止爪
【図１】
0003754373.tif 000002
【図２】
0003754373.tif 000003
【図３】
0003754373.tif 000004
【図４】
0003754373.tif 000005
【図５】
0003754373.tif 000006
【図６】
0003754373.tif 000007